(57)【要約】【課題】  土砂崩れや河川堤防決壊の災害発生緊急時において、仮締切工や仮土留工の組立設置、撤去作業を容易に実施可能とする鋼矢板コンクリートブロックとその構築方提供する。【解決手段】  鋼矢板とコンクリートを一体化させたプレキャストコンクリートブロックにより、繰り返しの使用を可能にし、止水性の向上、その長手方向の両端部に継手部を有する多数個を接続させた仮締切工、仮土留工用の鋼矢板コンクリートブロックを提供し、現場での作業を運搬設置のみで施工を迅速・容易にし、工期の短縮・コスト削減を可能にした。【選択図】図１
2017210855.tif 000002
【特許請求の範囲】
【請求項１】
所定の幅と長さと厚さを有するコンクリートブロックの製造時に、鋼矢板を型枠としてコンクリートを打設一体化し、鋼矢板の継手構造をもち繰り返し使用を可能にしたプレキャスト鋼矢板コンクリートブロック。
【請求項２】
請求項１に記載の鋼矢板コンクリートブロックを設置する際に、隣接する一対の鋼矢板コンクリートブロックの鋼矢板継手部を接続させ、連続して鋼矢板コンクリートブロックを構築することを特徴とする仮締切工法及び仮土留工法。
【発明の詳細な説明】
【技術分野】
【０００１】  本発明は、河川、道路等の災害発生時における応急対策や、仮設工事における仮締切工及び仮土留工を容易かつ迅速に施工することができるプレキャスト鋼矢板コンクリートブロックに関するものである。
【背景技術】
【０００２】  従来、仮締切工には鋼矢板を用いて地中に連続して止水壁を構築する方法があるが、鋼矢板の形式、長さ、質量、根入れ長さ、土質、使用する打込み機械の種類いなどの諸要因を検討する必要がある。このため小規模の工事や緊急災害時での対応では、組立作業や撤去作業に手間がかかり施工性が悪いという欠点があり使用することが難しいのが現状である。【０００３】  また、仮締切工には土のうや大型土のうを積み上げる方法があるが、連続性や止水の信頼性に欠け、積み重ねにおいて十分な安定性に乏しい。また、流木衝突により損傷を受けやすいという欠点や、耐用期間が短く再利用が難しかった。【０００４】  また、仮設土留めには箱形の鋼製枠や鋼メッシュ篭を利用したものがあるが、現場での充填材の投入が必要であり、緊急時には施工性が悪く充填材が一回きりの使用で再利用が難しく撤去作業が伴った。
【発明の概要】
【発明が解決しようとする課題】
【０００５】  上記従来の仮締切工及び仮土留工では、土砂崩れや河川堤防決壊の災害発生緊急時においても特殊な施工機械が必要であり、現場での充填材の投入作業等や組立設置、撤去作業に手間がかかり施工性が悪い欠点がある。【０００６】  本発明は、鋼矢板と一体化したプレキャストコンクリートブロックにより繰り返し使用することが可能で、鋼矢板の継手によりコンクリートブロックを多数個接続した構造であるため止水性にも優れており、施工時間の短縮とコストを低減できる新規な仮締切工及び仮土留工の鋼矢板コンクリートブロックを提供しようとするものである。
【課題を解決するための手段】
【０００７】  上記課題を解決するために、工場において鋼矢板とコンクリートを一体化させた、プレキャスト鋼矢板コンクリートブロックを製造提供するものである。【０００８】  仮締切工・仮土留工材をプレキャスト化することにより、現場での作業はクレ―ン付トラック等で運搬設置のみで済み、従来技術より施工を容易にし、工期の短縮・コスト削減を可能にする構築方法を提供する。【０００９】  鋼矢板の継手構造により、コンクリートブロックを多数個接続して設置することができ、止水性および安定性に優れていることを特徴とする仮締切工及び仮土留工を提供する。
【発明の効果】
【００１０】  本発明の鋼矢板コンクリートブロックにより、ゲリラ豪雨や集中豪雨による河川堤防の越流による洪水対策や、土砂崩れの緊急時での現場作業が運搬設置作業で済み迅速に施工することができ、仮締切工及び仮土留工の設置作業や撤去作業の工期の短縮を図ることができる。【００１１】  本発明により、鋼矢板コンクリートブロックを数個から賃貸等で使用することができ、施工規模の小さい現場や工期の少ない現場でも仮締切工及び仮土留工の施工が容易になり工事費も安価となる。【００１２】  また、簡易的な仮設工法であるが鋼矢板の継手機能をもつコンクリートブロックであるため、大型土のうと比較して止水性及び安定性の向上も図れる優れた効果がある。
【図面の簡単な説明】
【００１３】
【図１】鋼矢板コンクリートブロックの斜視図である。
【図２】図１の平面図である。
【図３】図２における一点鎖線Ａ−Ｂに沿った断面図である。
【図４】鋼矢板コンクリートブロックを多数個接続した平面図である。
【図５】鋼矢板コンクリートブロックを段積した断面図である。
【図６】鋼矢板コンクリートブロックを用いた仮締切工、土留工の一例の斜視図である。
【発明を実施するための形態】
【００１４】  以下、本発明の実施形態を添付図面に基づいて説明する。
【００１５】  図１の１は本発明の鋼矢板コンクリートブロック示したもので、たとえばＬ（長さ）×Ｗ（幅）×Ｈ（高さ）＝１２００×７００×１０００ｍｍ程度寸法の直方体に形成することができるが、この寸法は必要に応じて適宜定めることができる。
【００１６】  図１に示すように、鋼矢板コンクリートブロック１は両端に継手を有する複数の鋼矢板を長さ方向に接続させた一対の対向する鋼矢板の側壁２、３、からなり、側壁２、３の間にコンクリート４を工場で打設固化させ、鋼矢板と一体化形成されたプレキャスト構造体からなるものである。
【００１７】  図２のように、コンクリート部４の形状は、２、３側壁部においては鋼矢板の凸凹形状となり、両端面５は長さ方向で２ａ、２ｂ、３ａ、３ｂ、の鋼矢板の途中で打ち止め形成される。
【００１８】  図３に示すように、コンクリートの下面部６は２、３側壁下端部より上部に、上面部７は２、３、側壁上端部より下部に形成し、側壁部２、３、の下端部、上端部を突出させる。
【００１８】  図４に示すように、鋼矢板コンクリートブロック１ａ、１ｂ、１ｃを接続して仮締切、仮土留めを行う。この時、接続し隣接する鋼矢板コンクリートブロックの継手部の嵌め込みを容易にするための空隙８を形成する。
【実施例】
【００１９】  図５は仮締切時に鋼矢板コンクリートブロック１を段積に設置した例である。最初に一段目を施工する箇所の地盤に設置、その後自重により地盤に鋼矢板が貫入し滑動防止と漏水の低減がなされる。次に二段目を一段目に載荷する。この時一段目の側壁部２、３、の上端突起部が２段目鋼矢板コンクリートブロックの脱落防止となる。【００２０】  図６は仮締切工及び仮土留工施工において、鋼矢板コンクリートブロック１ａ、１ｂ、１ｃ、と順次接続設置した施工例を示す。
【符号の説明】
【００２１】    １  鋼矢板コンクリートブロック
２、３  鋼矢板の側壁
２ａ、３ａ、２ｂ、３ｂ、連結部鋼矢板
４  コンクリート部
５  コンクリート端部
６  コンクリート下面部
７  コンクリート上面部
８  空隙部
９  地盤
１０  水面
１１  継手部
【図１】
2017210855.tif 000003
【図２】
2017210855.tif 000004
【図３】
2017210855.tif 000005
【図４】
2017210855.tif 000006
【図５】
2017210855.tif 000007
【図６】
2017210855.tif 000008